(57)【要約】【課題】使用者による簡便な動作で、効果的に香り提示装置の香りを楽しむことが可能になり、使用者の購買意欲が向上することを期待することができる香り提示装置を提供すること。【解決手段】折り曲げ部２０並びに該折り曲げ部２０を挟んでその両側に位置する第１部２２及び第２部２３を有し、折り曲げ部２０を中心に第１部２２と第２部２３との間を繰り返し開閉可能な本体２と、本体２の開閉に伴い本体２との間の空間１０の体積が増減するように本体２に固定されている折り込み片３と、空間１０内に配された香り発生源４とを備えている。折り込み片３は、本体２の展開時に使用者側に向かって開口する香り吹き出し口３４を有している。【選択図】図３
2018010174.tif 000002
【特許請求の範囲】
【請求項１】
折り曲げ部並びに該折り曲げ部を挟んでその両側に位置する第１部及び第２部を有し、前記折り曲げ部を中心に第１部と第２部との間を繰り返し開閉可能な本体と、該本体の開閉に伴い該本体との間の空間の体積が増減するように該本体に固定されている折り込み片と、前記空間内に配された香り発生源とを有しており、
前記折り込み片は、前記本体の展開時に使用者側に向かって開口する香り吹き出し口を備える、香り提示装置。
【請求項２】
前記折り込み片は、前記折り曲げ部から離間した位置に第１部及び第２部に固定された一対の固定端を有する隆起部を有しており、該隆起部は、該一対の固定端間に、前記本体を閉じた際に山折りされる山折り部及び前記香り吹き出し口を有している、請求項１に記載の香り提示装置。
【請求項３】
前記隆起部は、前記折り曲げ部に沿う方向の長さが、前記本体に沿って測定した前記一対の固定端間の長さより長い、請求項２に記載の香り提示装置。
【請求項４】
前記隆起部は、前記香り吹き出し口から、前記折り曲げ部に沿う方向の両端までの長さが、それぞれ前記一対の固定端間の長さの半分以上である、請求項３に記載の香り提示装置。
【請求項５】
前記隆起部は、前記折り曲げ部に沿う方向の長さが、前記本体の同方向の略全長に亘っている、請求項２〜４の何れか１項に記載の香り提示装置。
【請求項６】
前記折り曲げ部に沿う方向における前記隆起部の少なくとも一端側に、前記本体の展開時に立ち上がる流路制御壁を備えている、請求項２〜４の何れかに１項に記載の香り提示装置。
【請求項７】
前記隆起部に、第１部と第２部との間に収容可能な装飾体が設けられている、請求項２〜６の何れかに１項に記載の香り提示装置。
【請求項８】
前記装飾体は、蛇腹状に折り畳み可能に形成されている、請求項７に記載の香り提示装置。
【請求項９】
前記折り曲げ部が、２本の折り曲げ線及び該２本の折り曲げ線の間に形成された凹状溝を有する、請求項１〜８の何れか１項に記載の香り提示装置。
【発明の詳細な説明】
【技術分野】
【０００１】
本発明は、香り提示装置に関し、詳しくは、シャンプーやリンス、柔軟剤等の香りを体験してもらい易くする香り提示装置に関する。
【背景技術】
【０００２】
昨今、例えば、シャンプーやリンス、制汗剤等の化粧品、柔軟剤等の日用品においても、様々な種類の商品が展開されており、それぞれにおいて、他の商品との差別化が図られている。そのような中で、香りによる他商品との差別化は重要な要素の１つであり、様々な香りが付与された商品が多々販売されている。
【０００３】
しかし、香りによる差別化は、実際に消費者に香りを体験してもらわないと分からない部分が多く、また消費者が店頭で商品を開封して香りを確認することもできない。そこで、従来、商品と同じ香料を含有させた香り見本を収容した香り提示装置を、商品の近くに置くことで消費者に該商品の香りを自由に体験してもらい、その商品の購買意欲を向上させることが一般的である（例えば、特許文献１参照）。
【先行技術文献】
【特許文献】
【０００４】
【特許文献１】登録実用新案第３１４３６４４号公報
【発明の概要】
【発明が解決しようとする課題】
【０００５】
しかし、一般に、香り提示装置は、商品に比して小さく目立たず、その存在を消費者が見過ごしたり、消費者に興味を持たれたりしないものが多い。そのため、単に商品の近くに香り提示装置を置いておくだけでは、実際に消費者に香り見本の香りを体験してもらうに至らない場合が多い。
また、例えば香り見本を収容容器に収容させた状態で展示している場合、消費者に香りを体験してもらうには、収容容器を手に取ってもらった後、使用者（収容容器を手に取った消費者）に収容容器の蓋等を開けてもらわなければならないが、収容容器が小さく、この動作は使用者にとって煩雑である。さらに、収容容器の蓋を開けた場合でも、収容容器から自然に香りが揮散するだけであり、収容容器の開口に鼻を近づけないと十分に香りを楽しめず、簡便な動作で、十分に香りを体験できる香り提示装置が望まれていた。
【０００６】
したがって本発明の課題は、前述した従来技術が有する欠点を解消し得る香り提示装置を提供することにある。
【課題を解決するための手段】
【０００７】
本発明は、折り曲げ部並びに該折り曲げ部を挟んでその両側に位置する第１部及び第２部を有し、前記折り曲げ部を中心に第１部と第２部との間を繰り返し開閉可能な本体と、該本体の開閉に伴い該本体との間の空間の体積が増減するように該本体に固定されている折り込み片と、前記空間内に配された香り発生源とを有しており、前記折り込み片は、前記本体の展開時に使用者側に向かって開口する香り吹き出し口を備える、香り提示装置を提供するものである。
【発明の効果】
【０００８】
本発明の香り提示装置によれば、使用者による簡便な動作で、効果的に香り提示装置の香りを楽しむことが可能になり、使用者の購買意欲が向上することを期待することができる。
【図面の簡単な説明】
【０００９】
【図１】図１は、本発明の第１実施形態の係る香り提示装置の閉じた状態を示す斜視図である。
【図２】図２は、図１に示す香り提示装置のＩＩ−ＩＩ線断面図である。
【図３】図３は、図１に示す香り提示装置を展開した状態を示す斜視図である。
【図４】図４は、図３に示す香り提示装置を展開した状態のＩＶ−ＩＶ線断面図である。
【図５】図５は、図１に示す香り提示装置の香りを使用者が体験する状態を示す図である。
【図６】図６は、本発明の香り提示装置の意匠的に優れた要部を示す閉じた状態の正面図である。
【図７】図７は、図６のＡ−Ａ線断面図である。
【図８】図８は、図６に示す香り提示装置を展開した状態の図であり、図８（ａ）は正面図、図８（ｂ）はＢ−Ｂ線断面図、図８（ｃ）はＣ−Ｃ線断面図である。
【図９】図９は、本発明の第２実施形態の香り展示装置を展開した状態を示す斜視図である。
【図１０】図１０は、本発明の第３実施形態の香り提示装置を展開した状態を示す斜視図である。
【図１１】図１１は、図１０に示す香り提示装置を斜め上方から見た図である。
【図１２】図１２は、本発明の第４実施形態の香り提示装置を展開した状態を示す斜視図である。
【図１３】図１３は、図１２に示す香り提示装置を展開した状態の提示装置のＸＩＩ−ＸＩＩ線断面図である。
【発明を実施するための形態】
【００１０】
以下本発明を、その好ましい実施形態に基づき図面を参照しながら説明する。図１には、本発明の第１実施形態に係る香り提示装置を閉じた状態が示されており、図２には、図１に示す香り提示装置のＩＩ−ＩＩ線断面図が示されている。また、図３には、図１に示す香り提示装置を展開した状態が示されており、図４には、図３に示す香り提示装置を展開した状態のＩＶ−ＩＶ線断面図が示されている。
【００１１】
図１〜図４に示すように、第１実施形態に係る香り提示装置１は、折り曲げ部２０を中心に２つ折り可能な本体２と、２つ折りした本体２の内面２１側に取り付けられる折り込み片３と、本体２と折り込み片３との間において本体２の内面２１側に取り付けられる香り発生源４とを備えている。
【００１２】
本体２は、略矩形状に形成されており、図３に示す展開した状態で長手方向となるＹ方向の略中央部に、展開した状態で短手方向となるＸ方向に沿うように折り曲げ部２０が設けられている。本体２は、折り曲げ部２０並びに折り曲げ部２０を挟んでその両側に位置する第１部２２と第２部２３を有しており、本体２は、第１部２２と第２部２３との間を繰り返し開閉可能に構成されている。本実施形態では、折り曲げ部２０は、Ｘ方向に沿う１本の折り曲げ線２０ａを有しており、本体２は、折り曲げ線２０ａを回動軸として、第１部２２と第２部２３とを相対的に回動させることで、第１部２２と第２部２３とを閉じたり、開いたりすることができるようになっている。このように本体２は、所謂、ブック状に開閉可能に形成されている。
なお、本実施形態では、第１部２２と第２部２３とを同じ形状及び大きさにしたが、例えば、第１部２２と第２部２３とを異なる形状や異なる大きさにしても良い。
【００１３】
本体２の外面２４には、画像（写真を含む）や文字等が印刷等されることが好ましく、特に、香りが付与された製品や香りと関連づけられたものか、又はそれらを想起させるものであることが好ましい。例えば、本体２の外面２４には、香り発生源４が発する香りと関連する画像や文字等が印刷等されることが好ましい。具体的には香り発生源４の香りが花の香りの場合には、花の絵柄や名前等が印刷されたり、シャンプーやリンス等と同じ香りの場合には、シャンプーやリンスのブランド名やブランドイメージ、商品や香りの説明（例えば、使用される花の名前等）等が印刷等されることが好ましい。シャンプーやリンス等の香りと関連する香りやブランドイメージ等を印刷等することで、消費者が商品に興味を持つことが期待できる。
また、本体２の外面２４には、第１部２２と第２部２３とで異なる画像を印刷しても良い。例えば、第１部２２にブランドイメージを印刷し、第２部２３に花の名前等を印刷しても良い。第１部２２と第２部２３とで異なる画像を印刷することで、より多くの情報を消費者に与えることが可能になり、消費者がより商品に興味を持つことを期待できる。
【００１４】
更に、本体２は、閉じた状態及び開閉する際に第１部２２及び第２部２３が平面状態を維持可能な強度を有することが好ましい。本体２は、例えば、紙で形成された板状部材（所謂、厚紙）やプラスチックで形成された板状部材（所謂、プラスチック板）で形成されることが好ましい。本実施形態では、本体２は、板紙により形成されている。また、本体２の厚さ、すなわち本体２を構成する板紙（合成樹脂のラミネート体も含む）やプラスチック板等の板状部位の厚さは、好ましくは０．２４ｍｍ以上、より好ましくは０．５ｍｍ以上であり、より好ましくは１ｍｍ以上であり、より好ましくは１．２ｍｍ以上である。また、好ましくは４ｍｍ以下、より好ましくは３ｍｍ以下であり、より好ましくは２．５ｍｍ以下、より好ましくは２ｍｍ以下である。
【００１５】
折り込み片３は、本体２の開閉に伴い本体２との間の空間１０の体積を増減させる隆起部３０を備えている。隆起部３０は、本体２の内面２１に固定される一対の固定端３１，３２と、本体２を閉じたときに山折りされる山折り部３３と、空間１０と外部とを連通させる吹き出し口３４とを有している。
【００１６】
隆起部３０は、折り曲げ線２０ａに沿う上下端が開放している状態においても、吹き出し口３４から好適に香りを吹き出させる観点から、本体２の折り曲げ線２０ａに沿うＸ方向の長さが、本体２に沿って測定した一対の固定端３１，３２間の長さよりも長いことが好ましい。同様の観点から、隆起部３０は、香り吹き出し口３４から、折り曲げ線２０ａに沿うＸ方向の両端までの長さが、それぞれ、本体２に沿って測定した一対の固定端３１，３２間の長さの半分以上であることが好ましい。
本実施形態では、隆起部３０は、本体２の折り曲げ線２０ａに沿うＸ方向の長さが、本体２の同方向の長さの略全長に亘っている。つまり、隆起部３０の折り曲げ線２０ａに沿うＸ方向の長さは、本体２の折り曲げ線２０ａに沿うＸ方向の長さと略同じ長さに形成されている。略全長に亘るという表現には、折り曲げ線２０ａに沿うＸ方向の長さに関し、隆起部３０の長さが、本体２の長さの９０％以上１１０％以下である場合が含まれる。
隆起部３０の折り曲げ線２０ａに沿うＸ方向の長さを、本体２の折り曲げ線２０ａに沿うＸ方向の長さと略同じ長さにすることで、吹き出し口３４から香りを吹き出させる際に、折り曲げ線２０ａに沿う上下端が開放している影響を低減させることができる。また、隆起部３０の折り曲げ線２０ａに沿うＸ方向の長さを、本体２の折り曲げ線２０ａに沿うＸ方向の長さと同じ長さにすることで、本体２との間の空間１０の体積を大きくすることが可能になり、該空間１０の体積の増減を大きくすることができる。これにより、吹き出し口３４から吹き出される香りの量を多くすることができる。
【００１７】
更に、隆起部３０の一対の固定端３１，３２それぞれから山折り部３３までのＹ方向における長さは、本体２の第１部２２及び第２部２３それぞれのＹ方向における長さの略半分にすることが好ましい。このような長さにすることで、例えば、本体２の第１部２２及び第２部２３の、Ｙ方向における長さの略半分の位置に一対の固定端３１，３２を固定した場合に、本体２を閉じた状態において本体２から隆起部３０がはみ出すことなく、且つ本体２を開いた状態にする際の空間１０の体積を大きくすることができる。
【００１８】
一対の固定端３１，３２は、本体２を閉じる際には、第１部２２と第２部２３との間で隆起部３０が山折りに収容され、本体２を開く際には、隆起部３０が取り付けられた本体２が所定角度以上開くことができる位置に固定されている。具体的には、固定端３１は、第１部２２上における折り曲げ線２０ａから所定距離離れた位置で固定され、固定端３２は、第２部２３上における折り曲げ線２０ａから所定距離離れた位置で固定されている。
本体２を開く所定角度としては、９０度以上が好ましく、更に好ましくは１３０度以上である。
所定距離離れた位置としては、本実施形態では、固定端３１は、第１部２２上における、第１部２２のＹ方向の長さの半分の位置に固定され、固定端３２は、第２部２３上における、第２部２３のＹ方向の半分の位置に固定されている。一対の固定端３１，３２を、上記位置に固定することで、本体２を閉じた状態で山折りされた隆起部３０の山折り部３３が本体２からがはみ出すことなく、空間１０の体積の最大値を大きくすることができる。
【００１９】
吹き出し口３４の設けられる位置は、山折り部３３に形成されることが好ましい。また吹き出し口３４の山折り部３３における折り曲げ線２０ａに沿うＸ方向の位置は、本実施形態では折り曲げ線２０ａに沿うＸ方向の略中央部に設けられている。吹き出し口３４を山折り部３３の折り曲げ線２０ａに沿うＸ方向の略中央部に設けることで、隆起部３０の上下端が開放している状態においても、香り提示装置１の略中央部から好適に香りを吹き出させることができ、使用者の顔の略中央にある鼻に向かって香りを吹き出させることができる。
また、吹き出し口３４の形状は、特に限定されないが、本実施形態では略円形に形成されている。吹き出し口３４の形状は、円形以外にも、三角形や四角形等の多角形状であっても良く、星形や楕円形状であっても良い。
更に、吹き出し口３４の数は、本実施形態では、山折り部３３に１個形成されている。吹き出し口３４は、山折り部３３に複数形成しても良く、山折り部３３以外に複数形成しても良い。更に、山折り部３３と山折り部３３以外のそれぞれに形成しても良い。
【００２０】
山折り部３３の数は、２個であっても良く、３個以上、例えば蛇腹状であっても良いが、１個であることが好ましい。本実施形態では、隆起部３０は、１個の山折り部３３を有している。
【００２１】
隆起部３０には、画像（写真を含む）や文字等が印刷等されることが好ましい。例えば、隆起部３０には、香り発生源４が発する香りと関連する画像や文字等が印刷等されることが好ましい。具体的には、香り発生源４の香りが花の香りの場合には、花の画像や名前等が印刷されたり、シャンプーやリンス等と同じ香りの場合には、シャンプーやリンスのブランド名やブランドイメージ、シャンプーやリンスの商品や香りの説明（例えば、使用される花の名前等）等が印刷されることが好ましい。シャンプーやリンス等の香りと関連する香りやブランドイメージ等を印刷等することで、消費者に興味を持ってもらうことが期待できる。
【００２２】
香り発生源４は、本体２と隆起部３０との間において、本体２の内面２１に両面テープにより貼り付けられている。本実施形態では、香り発生源４は、例えば、スポンジに香料や香料を含む芳香性組成物を担持させた香りスポンジ４０により構成されている。スポンジ等の担持体に担持させる香料や香料を含む芳香性組成物は、商品棚等に陳列される商品の有する香料と同様の香料を含むものが好ましい。香料を含む芳香性組成物は、液体でも固体でもジェル状でも良い。
本実施形態では、香り発生源４として香りスポンジ４０を用いたが、香り発生源としては、芳香性組成物を担持体に担持させたものや、アクリルアミド−アクリル酸（塩）共重合体を含む架橋型水性樹脂等の水性ゲルに吸収させたもの、小瓶やガス通気性の袋に収容したもの等を用いることもできる。担持体としては、シリカゲル、ゼオライト、ベントナイト等の無機酸化物や、活性炭、パルプ、セルロース等の有機高分子化合物などの多孔質粒子、紙、不織布等が挙げられる。また、本実施形態においては、香り発生源４である香りスポンジ４０が、両面テープにより本体２の内面２１に貼り付けられているが、両面テープ以外の簡易な固定手段により固定させても良い。
【００２３】
前述した一又は二以上の効果がより確実に得られるようにする観点から、本体２及び吹き出し口３４は、以下の構成の一又は二以上を有することが更に好ましい。
本体２は、Ｙ方向における折り曲げ線２０ａで閉じた状態（折り畳まれた状態）の全長が、消費者に知覚させる点から、好ましくは３０ｍｍ以上、より好ましくは３５ｍｍ以上、更に好ましくは４０ｍｍ以上である。また、手に取りやすくする観点から、好ましくは２２０ｍｍ以下であり、より好ましくは１８０ｍｍ以下であり、更に好ましくは１５０ｍｍ以下である。より具体的には、３０ｍｍ以上２１０ｍｍ以下が好ましく、より好ましくは３５ｍｍ以上１８０ｍｍ以下であり、更に好ましくは４０ｍｍ以上１５０ｍｍ以下である。また、本体２は、Ｘ方向の全長が、消費者に知覚させる点から、好ましくは３０ｍｍ以上であり、より好ましくは５５ｍｍ以上、更に好ましくは８０ｍｍ以上である。また、手に取りやすくする観点から、好ましくは２１０ｍｍ以下であり、より好ましくは１９０ｍｍ以下であり、更に好ましくは１７０ｍｍ以下である。より具体的には、好ましくは３０ｍｍ以上２１０ｍｍ以下であり、５５ｍｍ以上１９０ｍｍ以下が好ましく、更に好ましくは８０ｍｍ以上１７０ｍｍ以下である。本体２のＹ方向における折り曲げ線２０ａで閉じた状態の全長及びＸ方向における全長は、本体２の表面、好ましくは本体２の外面２４に沿って測定する。
【００２４】
本体２は、展開した状態におけるＹ方向の全長に対するＸ方向の全長の比（Ｙ方向の全長／展開した状態におけるＸ方向の全長）が、好ましくは０．３３以上１．５以下であり、更に好ましくは０．５以上０．８以下である。なお、本体２のＹ方向の全長及びＸ方向の全長は、前述と同様に、本体２の表面、好ましくは本体２の外面２４に沿って測定する。
吹き出し口３４の大きさは、吹き出し口３４から好適に香りを吹き出させる観点から、吹き出し口３４の開口面積が、０．１ｍｍ２以上が好ましく、より好ましくは０．２ｍｍ２以上であり、さらに好ましくは０．３８ｍｍ２以上であり、更に好ましくは０．８ｍｍ２以上である。また、吹き出し口３４の開口面積は、１５０ｍｍ２以下が好ましく、より好ましくは２０ｍｍ２以下であり、更に好ましくは１５ｍｍ２以下であり、更に好ましくは７ｍｍ２以下である。具体的には、０．１ｍｍ２以上１５０ｍｍ２以下が好ましく、より好ましくは０．２ｍｍ２以上２０ｍｍ２以下であり、更に好ましくは０．３８ｍｍ２以上１５ｍｍ２以下であり、更に好ましくは０．８ｍｍ２以上７ｍｍ２以下である。
【００２５】
次に、上述した香り提示装置１を使用した際の作用効果について、図５を参照しながら説明する。図５には、第１実施形態に係る香り提示装置１の香りを使用者が体験する状態が示されている。
【００２６】
本実施形態に係る香り提示装置１は、該香り提示装置１に収容された香りスポンジが含有する香料と同様の香料が含有されたシャンプー、リンス、洗剤又は柔軟剤等の商品が陳列された商品棚の近傍に、図１に示す閉じた状態（第１部２２の端部と第２部２３の端部とを近接させた状態）で載置される。本実施形態では、シャンプー及びリンスと同じ香料を含有した香りスポンジが香り発生源４として用いられているので、シャンプー及びリンスの陳列された商品棚の近傍に載置されている。
【００２７】
この状態の香り提示装置１を使用者が手に取って本体２を開くと、折り畳まれた状態の隆起部３０が本体２の開動作に連動して徐々に開き、本体２と隆起部３０との間の空間１０の体積が徐々に大きくなる。このとき、吹き出し口３４と、隆起部３０の折り曲げ線２０ａに沿う上下端とから空気が空間１０内に流入される。
そして、使用者が本体２を所定角度まで開くと、空間１０の体積が最大になり、空気の流入が止まる。更に使用者が本体２を開くと、今度は空間１０の体積が徐々に小さくなる。このとき、吹き出し口３４を介して空間１０から、使用者の顔に向かって香りが吹き出され、使用者は商品と同じ香りを体験することができる。また、この開閉動作を繰り返し行うことで、吹き出し口３４から多くの香りが吹き出し、使用者は、香り提示装置１の香りを十分に楽しむことができる。
【００２８】
このように、香り提示装置１は、使用者が本体２を開くだけで、使用者に向けて効果的に香りを吹き出すことができる。そのため、使用者は、香り提示装置１と同様の香りの商品に興味を持ち、該商品を購入する購買意欲を向上させることが期待できる。
【００２９】
第１実施形態の香り提示装置１は、意匠的にも優れている。図６〜図８は、上述した香り提示装置１の意匠的に優れた要部を示す図であり、例えば部分意匠の意匠登録出願に変更した場合、図６〜図８に実線で示された部分が「部分意匠として意匠登録を受けようとする部分」であり、図８（ａ）中の一点鎖線は、部分意匠として意匠登録を受けようとする部分とそれ以外の部分との境界のみを示す線である。
【００３０】
次に、本発明の第２実施形態の香り提示装置１Ａについて、図９を参照しながら説明する。なお、以下においては、上述した第１実施形態の香り提示装置１と異なる点について主に説明する。特に説明しない点は、第１実施形態の香り提示装置１と同様であり、第１実施形態の香り提示装置１についての説明が適宜適用される。図９には、本発明の第２実施形態の香り提示装置１Ａを展開した状態が示されている。
【００３１】
図９に示すように、第２実施形態の香り提示装置１Ａは、折り込み片３Ａの隆起部３０Ａの折り曲げ線２０ａに沿う上下端に、香り発生源４から放出される香りが隆起部３０Ａの折り曲げ線２０ａに沿う上下端から流出しないように、流出される香りの流路を制御する流路制御壁５を備えている。本実施形態では、隆起部３０Ａの折り曲げ線２０ａに沿う上下端のそれぞれに、一対の流路制御壁５１，５２が設けられており、一対の流路制御壁５１，５２の間に折り込み片３Ａが配されている。
【００３２】
流路制御壁５１は、本体２の内面２１に固定される一対の固定端５３，５４と、本体２を閉じたときに山折りされる山折り部５５と、隆起部３０Ａの折り曲げ線２０ａに沿う上端側と対向する開口５６とを有している。
一対の固定端５３，５４は、本体２を閉じる際には、流路制御壁５１が山折りになり、本体２を開く際には、流路制御壁５１が取り付けられた本体２が所定角度以上開くことができる位置に取り付け固定されている。
流路制御壁５１は、本体２を開くと、隆起部３０Ａ側の山折り部５５が立ち上がり、隆起部３０Ａ側に開口５６が形成されるが、開口５６と反対側（Ｘ方向における隆起部３０Ａ側と反対側）は封止されたままの状態となっている。
【００３３】
流路制御壁５２は、隆起部３０Ａに対して流路制御壁５１と対称に配置され、且つ流路制御壁５１と同様の構成であるため、同じ符号を付してその説明を省略する。
【００３４】
なお、香り提示装置１Ａにおける流路制御壁５１，５２の開口５６の向きは、隆起部３０Ａ側に開口５６が向くように配置されることが好ましいが、隆起部３０Ａの折り曲げ線２０ａに沿う上下端から流出される香りの移動方向を規制できれば、例えば、開口５６が隆起部３０Ａと反対側を向くように、流路制御壁５１，５２を配置しても良い。
【００３５】
折り込み片３Ａは、隆起部３０Ａを備えており、隆起部３０Ａは、一対の固定端３１Ａ，３２Ａと、山折り部３３と、吹き出し口３４とを有している。
隆起部３０Ａは、一対の流路制御壁５１，５２の間に折り込み片３Ａが配される観点から、Ｘ方向の長さが一対の流路制御壁５１，５２間のＸ方向の長さよりも短くなるように形成されている。隆起部３０Ａは、Ｘ軸方向の長さを一対の流路制御壁５１，５２間のＸ方向の長さに近づけることが好ましい。隆起部３０ＡのＸ軸方向の長さを一対の流路制御壁５１，５２間のＸ方向の長さに近づけることで、香り発生源４から放出される香りが、一対の流路制御壁５１，５２により外部に流出され難くなる。
また、隆起部３０Ａの一対の固定端３１Ａ，３２Ａの位置は、流路制御壁５１の一対の固定端５３，５４の隆起部３０Ａ側の端部と同じ位置若しくは該端部よりも内側（折り曲げ線２０ａ側）に位置することが好ましい。隆起部３０Ａの一対の固定端３１Ａ，３２Ａの位置を、流路制御壁５１の一対の固定端５３，５４の隆起部３０Ａ側の端部よりも内側に位置させることで、香り発生源４から放出される香りが、一対の流路制御壁５１，５２により外部に流出され難くなる。
【００３６】
次に、第２実施形態の香り提示装置１Ａを使用した際の作用効果について説明する。香り提示装置１Ａの効果については、香り提示装置１の効果と異なる点について説明する。特に説明しない点は、香り提示装置１の効果と同様であり、香り提示装置１についての説明が適宜適用される。
【００３７】
第２実施形態の香り提示装置１Ａは、隆起部３０の折り曲げ線２０ａに沿う上下端に、一対の流路制御壁５１，５２が設けられている。そのため、本体２を開いた際に、隆起部３０の折り曲げ線２０ａに沿う上下端から流れる香りを、一対の流路制御壁５１，５２でせき止めることができる。せき止められた香りは、一対の流路制御壁５１，５２内の空間が一杯になると、使用者の顔に向けて流れだし、使用者に香り提示装置１Ａの香りを嗅がせることができる。
【００３８】
このように、第２実施形態の香り提示装置１Ａは、第１実施形態の香り提示装置１に比して、展開時に使用者に向けて効果的に香りを吹き出すことができる。そのため、使用者は、香り提示装置１Ａと同様の香りの商品に興味を持ち、該商品を購入する購買意欲を向上させることを更に期待できる。
【００３９】
次に、本発明の第３実施形態に係る香り提示装置１Ｂについて、図１０及び図１１を参照しながら説明する。なお、以下においては、上述した第１実施形態の香り提示装置１と異なる点について主に説明する。特に説明しない点は、上述の香り提示装置１と同様であり、香り提示装置１の説明が適宜適用される。図１０には、第３実施形態の香り提示装置１Ｂを展開した状態が示されており、図１１には、図９に示す香り提示装置１Ｂを斜め上方から見た図が示されている。
【００４０】
図１０及び図１１に示すように、第３実施形態の香り提示装置１Ｂは、折り込み片３Ｂの隆起部３０Ｂに装飾体３５が設けられている。本実施形態では、隆起部３０Ｂの折り曲げ線２０ａに沿う上端に装飾体３５が設けられている。具体的には、隆起部３０Ｂは、本体２の内面２１に固定される一対の固定端３１，３２と、本体２を閉じたときに山折りされる山折り部３３と、空間１０と外部とを連通させる吹き出し口３４と、本体２を閉じたときに蛇腹状に折り畳まれる装飾体３５とを有している。
【００４１】
隆起部３０Ｂは、折り曲げ線２０ａに沿う上端に装飾体３５が設けられる観点から、Ｘ方向の長さが、本体２の折り曲げ線２０ａに沿うＸ方向の長さよりも短いことが好ましい。隆起部３０ＢのＸ方向の長さを、本体２のＸ方向の長さよりも短くすることで、例えば、本体２を折り畳んだ場合に本体２から装飾体３５がはみ出さなくなり、折り畳んだ状態で装飾体３５の全体を保護可能になる。
【００４２】
装飾体３５は、第１部２２と第２部２３との間に収容可能に蛇腹状に形成されている。蛇腹状に形成された装飾体３５の山折り部分３５ａには、吹き出し口３６が形成されており、香り発生源４から放出される香りを使用者に向けて吹き出し可能に構成されている。
装飾体３５には、香り発生源４の香りスポンジに含有される香料と関連する画像が印刷されており、本体２を開くと、印刷された画像が立体的に飛び出すように蛇腹状に折り畳まれている。例えば、香りスポンジに含有される香料が花の香りの場合、装飾体３５はその香りを有するか又は香りから想起される花の画像が印刷される。
【００４３】
なお、本実施形態では、装飾体３５を隆起部３０と一体に設けたが、装飾体３５と隆起部３０とを別体に設けても良い。例えば、装飾体３５を本体２の第１部２２及び第２部２３に、第１部２２と第２部２３との間に収容可能に取り付けても良い。
また、本実施形態では、隆起部３０Ｂの折り曲げ線２０ａに沿う上端に装飾体３５を設けたが、隆起部３０Ｂの折り曲げ線２０ａに沿う下端に装飾体３５を設けても良く、上下端のそれぞれに設けても良い。
【００４４】
次に、第３実施形態の香り提示装置１Ｂを使用した際の作用効果について説明する。第３実施形態の香り提示装置１Ｂの効果については、上述した香り提示装置１の効果と異なる点について説明する。特に説明しない点は、香り提示装置１の効果と同様であり、香り提示装置１についての説明が適宜適用される。
【００４５】
香り提示装置１Ｂの折り込み片３Ｂの隆起部３０Ｂは、蛇腹状に折り畳まれた装飾体３５を有している。装飾体３５には、香りをイメージした画像が印刷されている。本実施形態では、装飾体３５には花の画像が印刷されている。
そのため、本体２を展開した状態を華やかにすることができる。例えば、本体２を展開した状態をブランドイメージや花のイメージに近づけることが可能になり、使用者の興味を一層引き立てることが可能になる。また例えば、香りのイメージを想起しやすくなり、使用者に更に興味を持たせることが可能になる。その結果、該商品を購入する購買意欲を更に向上させることが期待できる。
【００４６】
次に、本発明の第４実施形態に係る香り提示装置１Ｃについて、図１２及び図１３を参照しながら説明する。なお、以下においては、上述した第１実施形態の香り提示装置１と異なる点について主に説明する。特に説明しない点は、上述の香り提示装置１と同様であり、香り提示装置１の説明が適宜適用される。例えば、第１実施形態における本体２の好ましい厚さ等に関する記載は、第４実施形態における本体２Ａについても同様に適用される。
図１２には、本発明の第４実施形態の香り提示装置１Ｃを展開した状態が示されており、図１３には、図１２に示す香り提示装置１Ｃを展開した状態の提示装置のＸＩＩ−ＸＩＩ線断面図である。
【００４７】
図１２に示すように、第４実施形態の香り提示装置１Ｃは、折り曲げ部２０Ａを中心に２つ折り可能な本体２Ａと、２つ折りした本体２の内面２１側に取り付けられる折り込み片３と、本体２Ａと折り込み片３との間において本体２の内面２１側に取り付けられる香り発生源４Ｃと、本体２Ａを２つ折りした状態で保持するマグネット５０と、折り込み片３と本体２Ａとの間の空間の両端を封止する封止部材６とを備えている。
【００４８】
本体２Ａは、図１２及び図１３に示すように、展開した状態におけるＹ方向の略中央部（第１部２２と第２部との間）に、Ｘ方向に延びる折り曲げ部２０Ａを有している。
折り曲げ部２０Ａは、Ｘ方向に延びる２本の折り曲げ線２０ｂ，２０ｃと、２本の折り曲げ線２０ｂ，２０ｃの間に形成された凹状溝２５とを有している。凹状溝２５は、本体２Ａを折り畳んだ状態でマチを構成し、展開した状態においては窪みとなるように凹状に形成されている。この凹状溝２５内に、香り発生源４Ｃの全部又は一部、好ましくは全部を配置することにより、香り発生源４Ｃが、第１部２２と第２部２３とを開閉する際の障害となりにくくなる。また、本体２Ａを厚紙で形成することで、第１部２２と第２部２３との間に凹状溝２５を設けた場合においても、第１部２２と第２部２３とを相対的に回動させることが容易となる。
【００４９】
香り発生源４Ｃは、粒状に形成されており、凹状溝２５に接着剤により固定されている。なお、香り発生源４Ｃの形状は、粒状に限定されず、立方体や直方体等であっても良い。
マグネット５０は、第１部２２の内面２１に取り付けられるマグネット５１と、第２部２３の内面２２に取り付けられるマグネット５２とを有しており、マグネット５１とマグネット５２とは、本体２Ａを折り畳んだ状態で互いに引き合うように配設されている。本実施形態では、マグネット５１とマグネット５２とは、本体２Ａを折り畳んだ状態で対向する位置に配設されている。本体２Ａの第１部２２の内面２１及び第２部２３の内面２２にマグネット５１，５２を配することで、本体２Ａを折り畳んだ状態で保持可能になり、例えば、香り発生源４Ｃの香料が不用に飛ぶことを低減させることができる。
【００５０】
封止部材６は、本体２Ａと折り込み片３との間の空間の２本の折り曲げ線２０ｂ，２０ｃに沿う上下端を封止している。封止部材６は、例えば、本体２Ａを開閉させる際に必要とする力よりも弱い力で如何なる方向にも広がり、且つ通気性の低い素材（密封性の高い素材）であることが好ましい。例えば、ポリエチレン、ポリ塩化ビニル、可塑剤を配合した合成樹脂等の柔軟な合成樹脂素材により形成され、前述の上下端の最大開口面積よりも大きな面積の柔軟性シートが好ましい。また、封止部材６は、有色であるか、有色透明であることが好ましい。有色又は有色透明にすることで、折り込み片３の内部が見えにくくなり、香り提示装置１Ｃの美観を保持可能になる。更に封止部材６は、本体２Ａの開閉時に不要に音が発生しない材料又は厚さにより形成されることが好ましい。本実施形態では、封止部材６は接着剤により本体２Ａ及び折り込み片３に接着されている。
なお、本実施形態では封止部材６として柔軟性シートを用いたが、柔軟性シートの代わりに、本体２Ａの開閉に連動して閉じたり開いたりする弁を用いても良い。例えば、本体２Ａが閉じられた状態では開いたままになっており、本体２Ａを開こうとする動作に連動して開口を閉じ、空間１０の体積が最大になった後はまた開くように構成された弁であっても良い。
【００５１】
前述した一又は二以上の効果がより確実に得られるようにする観点から、凹状溝２５及び封止部材６は、以下の構成の一又は二以上を有することが更に好ましい。
凹状溝２５の深さは、香り発生源４Ｃの収容状態の安定性を向上させる観点等から、好ましくは２．５ｍｍ以上、より好ましくは３ｍｍ以上であり、より好ましくは３．５ｍｍ以上であり、より好ましくは４ｍｍ以上である。また、見た目や重量のバランスの観点等から、好ましくは７ｍｍ以下、より好ましくは６ｍｍ以下であり、より好ましくは５．５ｍｍ以下、より好ましくは５ｍｍ以下である。
同様に、凹状溝２５の幅は、香り発生源４Ｃの収容状態の安定性を向上させる観点等から、好ましくは５ｍｍ以上、より好ましくは７ｍｍ以上であり、より好ましくは８ｍｍ以上であり、より好ましくは１０ｍｍ以上である。また、見た目や重量のバランスの観点等から、好ましくは３０ｍｍ以下、より好ましくは２５ｍｍ以下であり、より好ましくは２０ｍｍ以下、より好ましくは１５ｍｍ以下である。
封止部材６の厚さは、本体２Ａを開閉させる際に、容易に広がり易くする等の観点から、好ましくは２５０μｍ以下、より好ましくは２００μｍ以下であり、より好ましくは１８０μｍ以下であり、より好ましくは１５０μｍ以下である。また、破れにくくする観点から、好ましくは８０μｍ以上、より好ましくは９０μｍ以上であり、より好ましくは１００μｍ以上である。
【００５２】
次に、第４実施形態の香り提示装置１Ｃを使用した際の作用効果について説明する。第４実施形態の香り提示装置１Ｃの効果については、上述した香り提示装置１の効果と異なる点について説明する。特に説明しない点は、香り提示装置１の効果と同様であり、香り提示装置１についての説明が適宜適用される。
【００５３】
香り提示装置１Ｃは、折り曲げ部２０Ａが、２本の折り曲げ線２０ｂ，２０ｃ及び該２本の折り曲げ線２０ｂ，２０ｃの間に配される凹状溝２５を有している。そのため、本体２Ａと折り込み片３との間に、かさ張ることなく香り発生源４Ｃを収容することができる。また香り提示装置１Ｃの本体２Ａは、厚紙により形成されている。そのため、例えば第１部２２と第２部２３との間に凹状溝２５を設けた場合においても、第１部２２と第２部２３とを相対的に回動させることが容易となる。更に香り提示装置１Ｃは、本体２Ａの内面にマグネット５１，５２が取り付けられている。そのため、本体２Ａを閉じた状態を容易に保持することができ、例えば本体２Ａの内部に収容された香り発生源４Ｃの香料が不用に飛んでしまうことを低減させることができる。香り提示装置１Ｃは、本体２Ａと折り込み片３との空間の２本の折り曲げ線２０ｂ，２０ｃに沿う上下端を封止している封止部材６を有している。そのため、本体２Ａの展開時に吹き出し口３４から好適に香り発生源４Ｃの香りを吹き出させることができる。
【００５４】
以上、本発明をその好ましい第１〜第４実施形態に基づき説明したが、本発明は上述した第１〜第４実施形態に限定されない。
例えば、本発明の第２実施形態に係る香り提示装置１Ａでは、折り曲げ線２０ａに沿う方向Ｘにおける隆起部３０の上下端に流路制御壁５１，５２を設けたが、本発明においては、折り曲げ線２０ａに沿うＸ方向における隆起部３０の少なくとも一方側に流路制御壁５を設ければ良い。また、流路制御壁５は、本体２と隆起部３０との間であって、香り発生源４の近くに設けることもできる。
また、前記の各実施形態は、本発明の趣旨を逸脱しない範囲で適宜に組み合わせることが可能である。
【符号の説明】
【００５５】
１，１Ａ，１Ｂ，１Ｃ  香り提示装置
２  本体
２０、２０Ａ  折り曲げ部
２０ａ、２０ｂ、２０ｃ  折り曲げ線
２５  凹状溝
２２  第１部
２３  第２部
３  折り込み片
３０  隆起部
３１，３２  一対の固定端
３３  山折り部
３４  吹き出し口
４  香り発生源
５  流路制御壁
５１  流路制御壁
５２  流路制御壁
１０  空間
【図１】
2018010174.tif 000003
【図２】
2018010174.tif 000004
【図３】
2018010174.tif 000005
【図４】
2018010174.tif 000006
【図５】
2018010174.tif 000007
【図６】
2018010174.tif 000008
【図７】
2018010174.tif 000009
【図８】
2018010174.tif 000010
【図９】
2018010174.tif 000011
【図１０】
2018010174.tif 000012
【図１１】
2018010174.tif 000013
【図１２】
2018010174.tif 000014
【図１３】
2018010174.tif 000015